(57)【特許請求の範囲】
【請求項１】
ヒンジ部を介して相互に開閉自在に連結された第１および第２のケース体と、
前記第１および第２のケース体を閉じたとき前記第２のケース体に対向する前記第１のケース体の表面に形成された開口と、
少なくとも基部が前記第１のケース体に収容され頂部が前記開口を通じて前記第１のケース体から露出する複数のキーボタンと、
前記第１のケース体に収容され前記複数のキーボタンを一方の面上に支持する基板とを備えた折り畳み式携帯通信機のキーボタン構造であって、
前記基板は、該基板の前記ヒンジ部と反対側の端部近傍において前記ヒンジ部とほぼ平行な仮想軸線を中心に揺動可能に支持されており、
前記第２のケース体は、該第２のケース体の前記ヒンジ部側の端部に固定され前記ヒンジ部の揺動軸心を中心にして第２のケース体と一体的に回転可能な歯車を備え、
前記基板の前記ヒンジ部側の端部に前記歯車に係合する歯部が設けられ、
前記第２のケース体の開放動作に連動して、前記歯車が前記歯部を移動させることで、前記複数のキーボタンが前記開口を通じ突出する方向に前記基板が揺動し、前記第２のケース体の閉じる動作に連動して、前記歯車が前記歯部を移動させることで、前記複数のキーボタンが前記開口に没する方向に前記基板が揺動するようにした、
ことを特徴とする折り畳み式携帯通信機のキーボタン構造。
【請求項２】
前記基板は、該基板を支持するアームを備え、該アームは前記ヒンジ部と反対側の基板端部近傍において前記仮想軸線を中心として延在するシャフトにより揺動可能に支持され、
前記アームの前記ヒンジ部側の端部に前記歯部が形成されていることを特徴とする請求項１記載の折り畳み式携帯通信機のキーボタン構造。
【請求項３】
前記アームは、互いに間隔をおいてほぼ平行に延在する第１および第２のアームから成ることを特徴とする請求項２記載の折り畳み式携帯通信機のキーボタン構造。
【請求項４】
前記歯車は、互いに間隔をおいて配置された第１および第２の歯車から成り、前記第１および第２の歯車はそれぞれ前記第１および第２のアームの端部に形成された歯部に係合していることを特徴とする請求項３記載の折り畳み式携帯通信機のキーボタン構造。
【請求項５】
前記第１および第２のアームの前記ヒンジ部と反対側の端部は、前記シャフトに取り付られていることを特徴とする請求項３記載の折り畳み式携帯通信機のキーボタン構造。
【発明の詳細な説明】
【０００１】
【発明の属する技術分野】
本発明は、携帯電話機などの折り畳み式携帯通信機のキーボタン構造に関するものである。
【０００２】
【従来の技術】
図５は従来の折り畳み式携帯電話機の一例を示す斜視図、図６は同断面側面図、図７は図５の携帯電話機を折り畳んだ状態を示す断面側面図である。
この携帯電話機１０２は、ヒンジ部１０４を介して相互に開閉自在に連結された第１および第２のケース体１０６、１０８と、第１および第２のケース体１０６、１０８を閉じたとき第２のケース体１０８に対向する第１のケース体１０６の表面に配列された複数のキーボタン１１０と、第１のケース体１０６に収容され複数のキーボタン１１０を一方の面上に支持する基板１１２とを含んでいる。
【０００３】
また、第２のケース体１０８には液晶表示装置１１４が収容され、キーボタン１１０を押圧して入力された電話番号などの各種の情報が液晶表示装置１１４に表示される構成となっている。第２のケース体１０８の端部近傍には受話器を成すスピーカ１１６が設けられ、一方、第１のケース体１０６の端部近傍には送話器を成すマイク１１８が設けられている。
【０００４】
【発明が解決しようとする課題】
ところで、このような携帯電話機１０２では、図７に示したように、折り畳んで第１および第２のケース体１０６、１０８を閉じたとき、第２のケース体１０８の表面が第１のケース体１０６のキーボタン１１０を押圧すると、携帯電話機１０２が誤った動作をしたり、あるいは長時間継続してキーボタン１１０が押圧されてキーボタン１１０に機械的な悪影響が生じる可能性がある。そこで、キーボタン１１０の頭部が第２のケース体１０８の表面に触れないように、キーボタン１１０は第１のケース体１０６の表面１０６Ａより若干低い位置に配置する必要がある（図６、図７）。
【０００５】
しかし、その結果、第１および第２のケース体１０６、１０８を開放してキーボタン１１０を操作する際には、各キーボタン１１０の箇所は第１のケース体１０６の表面より若干窪んだ状態となっているためキーボタン１１０を操作しずらいという欠点が生じていた。
【０００６】
本発明はこのような問題を解決するためになされたもので、その目的は、ケース体を閉じたときキーボタンが、対応するケース体の表面によって押圧されることがなく、かつキーボタンの操作性が高い折り畳み式携帯通信機のキーボタン構造を提供することにある。
【０００７】
【課題を解決するための手段】
本発明は、上記目的を達成するため、ヒンジ部を介して相互に開閉自在に連結された第１および第２のケース体と、前記第１および第２のケース体を閉じたとき前記第２のケース体に対向する前記第１のケース体の表面に形成された開口と、少なくとも基部が前記第１のケース体に収容され頂部が前記開口を通じて前記第１のケース体から露出する複数のキーボタンと、前記第１のケース体に収容され前記複数のキーボタンを一方の面上に支持する基板とを備えた折り畳み式携帯通信機のキーボタン構造であって、前記基板は、該基板の前記ヒンジ部と反対側の端部近傍において前記ヒンジ部とほぼ平行な仮想軸線を中心に揺動可能に支持されており、前記第２のケース体は、該第２のケース体の前記ヒンジ部側の端部に固定され前記ヒンジ部の揺動軸心を中心にして第２のケース体と一体的に回転可能な歯車を備え、前記基板の前記ヒンジ部側の端部に前記歯車に係合する歯部が設けられ、前記第２のケース体の開放動作に連動して、前記歯車が前記歯部を移動させることで、前記複数のキーボタンが前記開口を通じ突出する方向に前記基板が揺動し、前記第２のケース体の閉じる動作に連動して、前記歯車が前記歯部を移動させることで、前記複数のキーボタンが前記開口に没する方向に前記基板が揺動するようにしたことを特徴とする。
【０００８】
本発明の折り畳み式携帯通信機のキーボタン構造では、複数のキーボタンを設けた基板が第２のケース体の開放動作に連動して確動的に揺動され、第２のケース体の開放動作に連動して複数のキーボタンが開口を通じ突出し、第２のケース体の閉じる動作に連動して複数のキーボタンが開口に没する。
そのため、第１および第２のケース体を閉じた状態では、キーボタンの頂部が第１のケース体の表面より低い位置となるまでキーボタンを基板とともに第１のケース体内に収容し、一方、第１および第２のケース体を開いた場合には、第２のケース体の開放動作に連動して、頂部が第１のケース体の表面より上の位置となるまでキーボタンを突出させることができる。
これにより第１および第２のケース体を閉じた状態において各キーボタンが、対向するケース体の表面により押圧されることがなく、そして、折り畳み式携帯通信機を利用すべく第２のケース体を開いた場合には、キーボタンが突出するため容易に操作できるようになる。
【０００９】
【発明の実施の形態】
次に本発明の実施の形態例について図面を参照して説明する。
図１は本発明の実施の形態例の折り畳み式携帯電話機を開いた場合を示す断面側面図、図２は実施の形態例の折り畳み式携帯電話機を閉じた場合を示す断面側面図、図３は実施の形態例の折り畳み式携帯電話機を示す斜視図、図４は実施の形態例の折り畳み式携帯電話機を示す部分切り欠き斜視図である。
【００１０】
これらの図面に示したように、実施の形態例の携帯電話機２は、ヒンジ部４を介して相互に開閉自在に連結された第１および第２のケース体６、８と、第１および第２のケース体６、８を閉じたとき第２のケース体８に対向する第１のケース体６の表面に形成された開口１０と、少なくとも基部が第１のケース体６に収容され頂部が開口１０を通じて第１のケース体６から露出する複数のキーボタン１２と、第１のケース体６に収容され複数のキーボタン１２を一方の面上に支持する回路基板１４とを備えている。
【００１１】
そして、携帯電話機２はさらに、第１のケース体６内に設けられ、複数のキーボタン１２が開口１０を通じ出没する方向に移動可能な状態で回路基板１４を支持する基板支持手段１６と、第２のケース体８の開放動作に連動して回路基板１４に対し複数のキーボタン１２が開口１０を通じ突出する方向に付勢する連動機構１８とを備えている。
【００１２】
より詳しくは、基板支持手段１６は、回路基板１４を支持するアーム２０を含み、アーム２０はヒンジ部４と反対側の回路基板１４端部１４Ａ近傍においてヒンジ部４とほぼ平行な仮想軸線を中心に揺動可能に支持されている。
また、連動機構１８は、第２のケース体８のヒンジ部４側の端部に固定されヒンジ部４の揺動軸心を中心にして第２のケース体８と一体的に回転可能な歯車２２を含んでいる。
そして、アーム２０のヒンジ部４側の端部には歯車２２に係合する歯部２０Ａが形成されている。
アーム２０は、本実施の形態例では、互いに間隔をおいてほぼ平行に延在する第１および第２のアーム２４、２６（図４）から成り、歯車２２は、互いに間隔をおいて配置された第１および第２の歯車２８、３０から成る。第１および第２の歯車２８、３０はそれぞれ第１および第２のアーム２４、２６の端部に形成された歯部２４Ａ、２６Ａに係合しており、ピニオン・ラック機構を形成している。
第１および第２のアーム２４、２６のヒンジ部４と反対側の端部は、上記仮想軸線を中心として延在するシャフト３２に取り付られている。
【００１３】
次に、このように構成された携帯電話機２の動作について説明する。
まず、第１および第２のケース体６、８を閉じた状態では、図２に示したように、第１および第２のアーム２４、２６は、シャフト３２を中心に矢印Ａの方向に揺動しており、したがって、回路基板１４も第１および第２のアーム２４、２６とともに揺動して、その上に支持されたキーボタン１２は第１のケース体６内に全体が収容され、キーボタン１２の頂部は、第１のケース体６の表面３４より低い位置となっている。そのため、この状態ではキーボタン１２が第２のケース体８の表面により押圧されることはない。
【００１４】
一方、携帯電話機２を利用すべく第２のケース体８を開放すると、第１および第２の歯車２８、３０は第２のケース体８の開放動作に連動して矢印Ｂ（図１）の方向に回転する。その結果、第１および第２の歯車２８、３０に係合する第１および第２のアーム２４、２６の歯部２４Ａ、２６Ａは第１のケース体６の表面３４側に移動し、第１および第２のアーム２４、２６はシャフト３２を中心に揺動する。これにより、回路基板１４は第１および第２のアーム２４、２６とともに揺動して、図１に示したように、キーボタン１２は、そのほとんどが、第１のケース体６の開口１０（図３）を通じて第１のケース体６の表面３４から外側へ突出する。したがって、キーボタン１２を容易に操作することが可能となる。
【００１５】
すなわち、実施の形態例の携帯電話機２では、第１および第２のケース体６、８を閉じた状態において各キーボタン１２が、第２のケース体８の表面により押圧されることがなく、そして、携帯電話機２を利用すべく第２のケース体８を開いた場合には、キーボタン１２が突出するため容易に操作できるようになる。
【００１７】
【発明の効果】
以上説明したように本発明は、ヒンジ部を介して相互に開閉自在に連結された第１および第２のケース体と、前記第１および第２のケース体を閉じたとき前記第２のケース体に対向する前記第１のケース体の表面に形成された開口と、少なくとも基部が前記第１のケース体に収容され頂部が前記開口を通じて前記第１のケース体から露出する複数のキーボタンと、前記第１のケース体に収容され前記複数のキーボタンを一方の面上に支持する基板とを備えた折り畳み式携帯通信機のキーボタン構造であって、前記基板は、該基板の前記ヒンジ部と反対側の端部近傍において前記ヒンジ部とほぼ平行な仮想軸線を中心に揺動可能に支持されており、前記第２のケース体は、該第２のケース体の前記ヒンジ部側の端部に固定され前記ヒンジ部の揺動軸心を中心にして第２のケース体と一体的に回転可能な歯車を備え、前記基板の前記ヒンジ部側の端部に前記歯車に係合する歯部が設けられ、前記第２のケース体の開放動作に連動して、前記歯車が前記歯部を移動させることで、前記複数のキーボタンが前記開口を通じ突出する方向に前記基板が揺動し、前記第２のケース体の閉じる動作に連動して、前記歯車が前記歯部を移動させることで、前記複数のキーボタンが前記開口に没する方向に前記基板が揺動するようにしたことを特徴とする。
【００１８】
本発明の折り畳み式携帯通信機のキーボタン構造では、連動機構および基板支持手段によって複数のキーボタンを設けた基板が第２のケース体の開放動作に連動して確動的に移動され、第２のケース体の開放動作に連動して複数のキーボタンが開口を通じ突出し、第２のケース体の閉じる動作に連動して複数のキーボタンが開口に没する。
そのため、第１および第２のケース体を閉じた状態では、キーボタンの頂部が第１のケース体の表面より低い位置となるまでキーボタンを基板とともに第１のケース体内に収容し、一方、第１および第２のケース体を開いた場合には、第２のケース体の開放動作に連動して、頂部が第１のケース体の表面より上の位置となるまでキーボタンを突出させることができる。
これにより第１および第２のケース体を閉じた状態において各キーボタンが、対向するケース体の表面により押圧されることがなく、そして、折り畳み式携帯通信機を利用すべく第２のケース体を開いた場合には、キーボタンが突出するため容易に操作できるようになる。
【図面の簡単な説明】
【図１】本発明の実施の形態例の折り畳み式携帯電話機を開いた場合を示す断面側面図である。
【図２】実施の形態例の折り畳み式携帯電話機を閉じた場合を示す断面側面図である。
【図３】実施の形態例の折り畳み式携帯電話機を示す斜視図である。
【図４】実施の形態例の折り畳み式携帯電話機を示す部分切り欠き斜視図である。
【図５】従来の折り畳み式携帯電話機の一例を示す斜視図である。
【図６】従来の折り畳み式携帯電話機の一例を示す断面側面図である。
【図７】図５の携帯電話機を折り畳んだ状態を示す断面側面図である。
【符号の説明】
２……携帯電話機、４……ヒンジ部、６……第１のケース体、８……第２のケース体、１０……開口、１２……キーボタン、１４……回路基板、１６……基板支持手段、１８……連動機構、２０……アーム、２２……歯車、２４……第１のアーム、２６……第２のアーム、２８……第１の歯車、３０……第２の歯車、３２……シャフト、３４……表面、１０２……携帯電話機、１０４……ヒンジ部、１０６……第１のケース体、１０８……第２のケース体、１１０……キーボタン、１１２……基板、１１４……液晶表示装置、１１６……スピーカ、１１８……マイク。
【図１】
0003616525.tif 000002
【図２】
0003616525.tif 000003
【図３】
0003616525.tif 000004
【図４】
0003616525.tif 000005
【図５】
0003616525.tif 000006
【図６】
0003616525.tif 000007
【図７】
0003616525.tif 000008